(57)【要約】      （修正有）【課題】消費者の興味を効果的に惹き付ける新規な宣伝を行うことのできる衛生用紙入りカートンを提供する。【解決手段】衛生用紙入りカートン１は，衛生用紙の取出し口１１を有する天面１０と，天面１０に対向する底面２０と，天面１０及び底面２０に連接する一対の側面３０，４０及び一対の妻面５０，６０とを有する。一対の側面３０，４０の一方は，文字，図形，記号，模様，及び色彩のいずれか１つ以上が印刷された印刷面である。一対の側面３０，４０の他方は，一面が白色となったスクリーン面である。スクリーン面には，プロジェクタから投射された映像光を投映することができる。【選択図】図１
2019006414.tif 000002
【特許請求の範囲】
【請求項１】
衛生用紙の取出し口（１１）を有する天面（１０）と，前記天面（１０）に対向する底面（２０）と，前記天面（１０）及び前記底面（２０）に連接する一対の側面（３０，４０）及び一対の妻面（５０，６０）と，を有する衛生用紙入りカートン（１）であって，
前記一対の側面（３０，４０）の一方は，文字，図形，記号，模様，及び色彩のいずれか１つ以上が印刷された印刷面であり，
前記一対の側面（３０，４０）の他方は，一面が白色となったスクリーン面であり，
前記スクリーン面には，プロジェクタ（２００）から投射された映像光を投映することができる
衛生用紙入りカートン。
【請求項２】
前記スクリーン面は，光を拡散反射する塗膜が形成されている
請求項１に記載のカートン。
【請求項３】
上下に段積みされた請求項１又は請求項２に記載の複数の衛生用紙入りカートン（１）と，
前記複数の衛生用紙入りカートン（１）全体を被包する透明な包装フィルム（２）と，を含み，
前記複数の衛生用紙入りカートン（１）は，前記スクリーン面が同じ方向に面するように段積みされている
衛生用紙入りカートン製品。
【請求項４】
請求項３に記載の衛生用紙入りカートン製品（１００）と，
前記衛生用紙入りカートン製品（１００）の前記スクリーン面に映像を投影するプロジェクタ（２００）と，を備える
衛生用紙入りカートン製品の宣伝システム。
【請求項５】
請求項３に記載の衛生用紙入りカートン製品（１００）の前記スクリーン面に，プロジェクタ（２００）によって映像を投影する
衛生用紙入りカートン製品の宣伝方法。
【請求項６】
前記衛生用紙入りカートン製品（１００）は，前記スクリーン面が同じ方向に面するように，上下及び左右に密接した状態で複数個並べられている
請求項５に記載の宣伝方法。
【発明の詳細な説明】
【技術分野】
【０００１】
本発明は，衛生用紙入りのカートンや，衛生用紙入りカートン製品，その宣伝システム，宣伝方法に関する。具体的に説明すると，本発明は，衛生用紙入りカートンにスクリーン面を形成し，そのスクリーン面にプロジェクタによって映像を投映するという知見に基づくものである。
【背景技術】
【０００２】
従来からティッシュペーパーなどの衛生用紙を折り畳んだ状態で収容した衛生用紙入りカートンが知られている。衛生用紙入りカートンは，通常，上下に複数個を段積みした状態でプラスチック製の透明なフィルムによって包装され，複数個１セットの製品として販売されている（特許文献１等）。また，このような衛生用紙入りカートン製品が店頭において販売される際には，複数個の製品が上下左右に並べて陳列されていることが一般的である。
【先行技術文献】
【特許文献】
【０００３】
【特許文献１】特開２００４−０８３０６６号公報
【発明の概要】
【発明が解決しようとする課題】
【０００４】
ところで，陳列時の衛生用紙入りカートン製品を宣伝する際には，紙製の札などに商品名や価格，あるいはキャッチコピーや説明文を記載したいわゆるＰＯＰ広告を行うことが主流である。また，カートン製品の陳列棚にディスプレイを設置して，その製品のＣＭや紹介動画を流すということも考えられる。しかしながら，これらのＰＯＰ広告やディスプレイ広告は使い古された手法であるとともに，その宣伝媒体（札やディスプレイ）が比較的小さいものであることから，消費者の興味関心を効果的に惹き付けることはもはやできなくなっていた。
【０００５】
そこで，本発明は，衛生用紙入りカートン製品の陳列時に消費者の興味を効果的に惹き付けることのできる新規な宣伝方法を提供することを目的とする。
【課題を解決するための手段】
【０００６】
本発明の発明者は，従来の問題を解決する手段について鋭意検討した結果，衛生用紙入りカートンの側面の一方の全体を白色のスクリーン面とし，そのスクリーン面にプロジェクタによって映像を投映することにより，斬新な宣伝を行うことができるという知見を得た。そして，本発明者は，上記知見に基づけば，従来技術の課題を解決できることに想到し，本発明を完成させた。
【０００７】
本発明の第１の側面は，衛生用紙入りカートン１に関する。衛生用紙入りカートン１は，衛生用紙の取出し口１１を有する天面１０と，この天面１０に対向する底面２０と，天面１０及び底面２０に連接する一対の側面３０，４０及び一対の妻面５０，６０とを有する，略直方体状の包装箱である。カートン１の内部には，ティッシュペーパーなどの衛生用紙が複数枚折り畳まれた状態で収納されている。一対の側面３０，４０のいずれか一方は，文字，図形，記号，模様，及び色彩のいずれか１つ以上が印刷された印刷面となっている。一対の側面３０，４０のいずれか他方は，一面（全体）が白色となったスクリーン面となっている。そして，このスクリーン面には，プロジェクタ２００から投射された映像光を投映することができる。
【０００８】
上記構成のように，カートン１の側面３０，４０の一方を一面が白色とされたスクリーン面とし，そこに製品の広告映像などを投映することで，消費者の興味関心を強く惹き付けるができる。また，スクリーン面の反対側の側面には，通常のカートンと同様に文字や図形等を印刷しておくことで，消費者は通常通り製品を側面側から識別することができる。
【０００９】
本発明の衛生用紙入りカートン１において，スクリーン面には光を拡散反射する塗膜が形成されていることが好ましい。例えば，スクリーン面には拡散反射塗料を塗布するとよい。このように，スクリーン面に拡散反射塗膜（いわゆるマットスクリーン）を形成しておくことで，環境光や照明光の照り返りが抑制され，プロジェクタによって投映された映像を消費者が視認しやすくなる。
【００１０】
本発明の第２の側面は，衛生用紙入りカートン製品１００に関する。衛生用紙入りカートン製品１００は，上記した第１の側面に係る衛生用紙入りカートン１を複数個と，これら複数の衛生用紙入りカートン１全体を被包する透明な包装フィルム２とを含む。そして，複数の衛生用紙入りカートン１は，スクリーン面が同じ方向に面するように段積みされている。つまり，各カートン１のスクリーン面によって１つの大きなスクリーン面が形成される。このように，スクリーン面を大きくすることで，映像を投映する範囲を広くすることができ，宣伝効果をより高めることができる。
【００１１】
本発明の第３の側面は，衛生用紙入りカートン製品１００の宣伝システムに関する。宣伝システムは，上記した第２の側面に係る衛生用紙入りカートン製品１００と，この衛生用紙入りカートン製品１００のスクリーン面に映像を投映するプロジェクタ２００と，を備える。
【００１２】
本発明の第４の側面は，衛生用紙入りカートン製品１００の宣伝方法に関する。本発明に係る宣伝方法では，衛生用紙入りカートン製品１００のスクリーン面に，プロジェクタ２００によって映像を投映する。
【００１３】
本発明の宣伝方法において，衛生用紙入りカートン製品１００は，スクリーン面が同じ方向に面するように，上下及び左右に密接した状態で複数個並べられていることが好ましい。つまり，少なくとも縦２個×横２個の合計４個の衛生用紙入りカートン製品１００により，さらに巨大なスクリーン面が形成される。このように，映像を投映する範囲をより広くすることができ，宣伝効果をさらに高めることができる。
【発明の効果】
【００１４】
本発明によれば，衛生用紙入りカートン製品の陳列時に消費者の興味を効果的に惹き付けることのできる新規な宣伝方法を提供することができる。
【図面の簡単な説明】
【００１５】
【図１】図１は，衛生用紙入りカートンの展開図の一例を示している。
【図２】図２は，衛生用紙入りカートン製品を示した斜視図である。図２（ａ）は，左側面（スクリーン面）側の斜視図であり，図２（ｂ）は，右側面（印刷面）側の斜視図である。
【図３】図３は，陳列された状態の複数の衛生用紙入りカートン製品のスクリーン面にプロジェクタによって映像を投映している状態を模式的に示している。
【発明を実施するための形態】
【００１６】
以下，図面を用いて本発明を実施するための形態について説明する。本発明は，以下に説明する形態に限定されるものではなく，以下の形態から当業者が自明な範囲で適宜変更したものも含む。
【００１７】
図１は，衛生用紙入りカートン１の展開図を示している。図１に示されるように，衛生用紙入りカートン１は，天面１０，底面２０，左側面３０（スクリーン面），右側面４０（印刷面），前妻面５０，及び後妻面６０を含む。カートン１を組み立てた状態において，天面１０と底面２０，左側面３０と右側面４０，前妻面５０と後妻面６０は，それぞれ対向面を形成する。これにより，カートン１は，略直方体状に成型される。カートン１の内部の収容空間には，ティッシュペーパーなどの衛生用紙（不図示）を複数枚折り重ねて収納することができる。また，カートン１の天面１０には，衛生用紙を個別に取り出すための取出し口１１が形成されている。衛生用紙カートン１は，厚紙などで形成された紙製であることが好ましいが，例えばプラスチック製とすることもできる。
【００１８】
本実施形態において，展開状態のカートン１では，図の上から順に，右側面４０，天面１０，左側面３０，及び底面２０が一方向に連接しており，各面の間には直線状の折り目が形成されている。また，底面２０は，左側面３０とは反対側に接合代２１が連接している。接合代２１に接着剤を塗布して，この接合代２１を右側面４０の内面に接着することで，右側面４０と底面２０とが繋がり，カートン１が略四角筒状に成型される。
【００１９】
天面１０の前後の端縁にはそれぞれ上外フラップ５１，６１が連接し，底面２０の前後の端縁にはそれぞれ下外フラップ５２，６２が連接している。また，左側面３０の前後の端縁にはそれぞれ左内フラップ５３，６３が連接し，右側面４０の前後の端縁にはそれぞれ右内フラップ５４，６４が連接している。これらの左内フラップ５３，６３と右内フラップ５４，６４とを折り曲げた後に，上外フラップ５１，６１と下外フラップ５２，６２とを折り曲げて接着剤等によってこれらの各フラップの重畳する箇所を接合することで，前後一対の前妻面５０と後妻面６０とが形成される。なお，前妻面５０と後妻面６０には，文字，図形，記号，模様，及び色彩のいずれか１つ以上を印刷することができる。
【００２０】
また，図１に示されるように，右側面４０の表面には模様が印刷されている。このため，右側面４０は，印刷面として機能する。左右一対の側面の一方（ここでは右側面４０）を印刷面とすることで，カートン１を側面側からみたときに，商品の出所や性質を一見して識別することができる。印刷面には，模様の他に，文字，図形，記号，及び色彩を印刷することができる。また印刷面には，これらの２以上を組み合わせて印刷してもよい。特に，印刷面には，後述するスクリーン面と区別するために，白色以外の色彩を印刷することが好ましい。つまり，印刷面は，スクリーン面と異なる色であることが好ましい。なお，「色が異なる」とは，明るさ，色相，又は彩度のうち，少なくともいずれか一つが異なることを意味する。また，単に色相が異なる色ばかりでなく，同じ色相であっても，彩度又は明度が意図的に異なるものとされた色は，「異なる色」とする。
【００２１】
他方で，図１に示されるように，左側面３０の表面は，一面全体が白色とされている。左側面３０は，右側面４０とは対照的に，文字，図形，記号，模様，及び色彩などが一切印刷されおらず，白色一色となっている。なお，「白色」とは，ＣＩＥ−Ｌ＊ａ＊ｂ＊表色系におけるＬ＊値が８５以上の色を意味する。この一面白色の左側面３０には，プロジェクタ２００から投射された映像光を投映することができる。このため，左側面３０は，映像光を投映するためのスクリーン面として機能する。
【００２２】
スクリーン面は，白色であるとともに，光を拡散反射する塗膜が形成されていることが好ましい。スクリーン面は，例えば，波長５５０ｎｍにおける拡散反射率が９０％以上の塗膜が形成されていることが好ましい。塗膜の拡散反射率は，分光測色計（KONICA MINOLTA社製  CM-3600d）を用いて，硫酸バリウムを標準として５５０ｎｍにおける拡散反射率として測定される。例えば，スクリーン面として機能する左側面３０の表面に，光を拡散反射する塗料を塗布すればよい。このような拡散反射塗料は，公知のものを適宜用いることができ，例えば特開２０１２−９２２８９号に開示されたものを参考としてもよい。また，その他，左側面３０の表面に白色の塗料を塗布し，その後に粗面化処理等を行うことで，白色の塗膜を拡散反射するものに調整することも可能である。
【００２３】
図１に示されるように，本実施形態では，展開状態において天面１０と底面２０の間に連接された左側面３０を，スクリーン面としている。このように，天面１０と底面２０の間の側面をスクリーン面として用いることが好ましい。すなわち，本実施形態において，右側面４０は，接合代２１を介して底面２０に接着される構造となっている。このような接合代２１に接合される側面をスクリーン面としてしまうと，スクリーン面内に微小な段差などが生じて投映される映像に細かい歪みが発生するおそれがある。これに対して，左側面３０は，シームレスに天面１０と底面２０に連接されているため，映像光を綺麗に投映することができる。
【００２４】
図２は，複数個の衛生用紙入りカートン１を段積みした衛生用紙入りカートン製品１００を示している。カートン製品１００は，スクリーン面と印刷面とを持つ衛生用紙入りカートン１を上下に複数個段積みするともに，これら複数個のカートン１を透明なプラスチック製の包装フィルム２によって被包したものである。このようにして複数個のカートン１は，複数個を１セットとした製品として陳列及び販売される。図２に示した例では，１つのカートン製品１００は，５個のカートン１によって構成されている。ただし，カートン製品１００を構成するカートン１の数は，少なくとも２個以上であればよく，例えば３〜１０個，５個〜７個とすることもできる。
【００２５】
図２（ａ）に示されるように，カートン製品１００は，複数のカートン１のスクリーン面（左側面３０）が同じ方向に面するように段積みされている。このため，複数のカートン１のスクリーン面によって，縦長の大きなスクリーン面が形成される。このように，各カートン１のスクリーン面を揃えて配置することで，映像を投映するスクリーン面をより広範なものとすることができる。
【００２６】
図３は，プロジェクタ２００によって衛生用紙入りカートン製品１００のスクリーン面に映像を投映した状態を示している。図３に示されるように，複数個のカートン製品１００が，上下に段積みされるとともに，左右方向に並べられている。図示した例では，カートン製品１００は，上下２段に段積みされ，また左右３列に並べられている。さらに，カートン製品１００は，手前と奥側とで２行に並べられており，手前側６個，奥側６個とで合計１２個のカートン製品１００が配置されている。ただし，カートン製品１００の並べ方は図示したものに限定されず，少なくとも上下２段，左右２列，合計４個並べればよい。また，複数個並べたカートン製品１００の陳列状態を安定させるために，手前と奥側とで２行以上並べることが好ましい態様である。
【００２７】
また，図３に示されるように，手前側に位置する複数個のカートン製品１００は，スクリーン面（左側面３０）がすべて同じ方向に面するように並べられている。これにより，複数個のカートン製品１００によってさらに巨大なスクリーン面が形成される。
【００２８】
プロジェクタ２００は，市販のものを用いることができ，特に限定されない。また，プロジェクタ２００によってスクリーン面に投影する映像も特に限定されるものではなく，カートン製品１００の広告や説明のための映像を選択すればよい。また，映像は，静止画であってもよいし動画であってもよい。
【００２９】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００３０】
本発明は，衛生用紙入りカートン製品の製造業や販売業において好適に利用し得る。
【符号の説明】
【００３１】
１…衛生用紙入りカートン              ２…包装フィルム
１０…天面                            １１…取出し口
２０…底面                            ２１…接合代
３０…左側面（スクリーン面）          ４０…右側面（印刷面）
５０…前妻面                          ５１…上外フラップ
５２…下外フラップ                    ５３…左内フラップ
５４…右内フラップ                    ６０…後妻面
６１…上外フラップ                    ６２…下外フラップ
６３…左内フラップ                    ６４…右内フラップ
１００…衛生用紙入りカートン製品      ２００…プロジェクタ
【図１】
2019006414.tif 000003
【図２】
2019006414.tif 000004
【図３】
2019006414.tif 000005